(57)【要約】  複数の光源と複数の記録用ヘッドとを離隔配置させるとともに、複数の光源を高精度に配置させつつ、複数の光源と複数の記録用ヘッドとを含む機構および記録再生装置の薄型化を図る。上記目的を達成するために、第１，２アーム部が第１記録媒体を挟んで配置され、第１，２アーム部の一端側が回転軸で連結される。そして、第１スライダ部が、記録用ヘッドを含み、第１アーム部の他端側において第１記録媒体の一方主面に対向配置され、第２スライダ部が、記録用ヘッドを含み、第２アーム部の他端側において第１記録媒体の他方主面に対向配置される。更に、第１記録媒体と接触しない位置に設けられた光源ユニットでは、第１アーム部と第２アーム部との間に、第１スライダ部に照射するための光束を射出する光源と、第２スライダ部に照射するための光束を射出する光源とが一体的に形成されている。
2009119152.tif 000002
【特許請求の範囲】
【請求項１】
第１記録媒体と、
前記第１記録媒体を挟んで配置される第１および第２アーム部と、
前記第１および第２アーム部の一端側において該第１および第２アーム部を連結する回転軸と、
記録用ヘッドを含み、前記第１アーム部の他端側において、前記第１記録媒体の一方主面に対向して設けられる第１スライダ部と、
記録用ヘッドを含み、前記第２アーム部の他端側において、前記第１記録媒体の他方主面に対向して設けられる第２スライダ部と、
前記第１記録媒体と接触しない位置に設けられ、前記第１アーム部と前記第２アーム部との間に、前記第１スライダ部に照射するための第１光束を射出する第１光源と、前記第２スライダ部に照射するための第２光束を射出する第２光源とが一体的に形成されている光源ユニットと、
を備えることを特徴とする情報記録装置。
【請求項２】
請求項１に記載の情報記録装置であって、
前記光源ユニットが、
前記第１および第２アーム部に対して取り付けられていることを特徴とする情報記録装置。
【請求項３】
請求項１または請求項２に記載の情報記録装置であって、
前記第２アーム部を挟んで、前記第１記録媒体に対して略平行に配置される第２の記録媒体と、
記録用ヘッドを含み、前記第２アーム部の他端側において、前記第２記録媒体の一方主面に対向して設けられる第３スライダ部と、
を更に備え、
前記光源ユニットが、
前記第２アーム部を貫通して配置され、且つ前記第３スライダ部に照射するための第３光束を射出する第３光源を更に含むことを特徴とする情報記録装置。
【請求項４】
請求項１から請求項３の何れかに記載の情報記録装置であって、
前記光源ユニットが、
各前記光源に対応させて光学レンズ部がそれぞれ一体的に形成されたものであることを特徴とする情報記録装置。
【請求項５】
略平行に配置される第１および第２アーム部と、
前記第１および第２アーム部の一端側において該第１および第２アーム部を連結する回転軸と、
記録用ヘッドを含み、前記第１アーム部の他端側において、前記第２アーム部に対向して設けられる第１のスライダ部と、
記録用ヘッドを含み、前記第２アーム部の他端側において、前記第１アーム部に対向して設けられる第２のスライダ部と、
前記第１アーム部と前記第２アーム部との間に、前記第１スライダ部に照射するための第１光束を射出する第１光源と、前記第２スライダ部に照射するための第２光束を射出する第２光源とが一体的に形成されている光源ユニットと、
を備えることを特徴とするアーム機構。
【請求項６】
請求項５に記載のアーム機構であって、
前記光源ユニットが、
前記第１および第２アーム部に対して取り付けられていることを特徴とするアーム機構。
【請求項７】
請求項５または請求項６に記載のアーム機構であって、
記録用ヘッドを含み、前記第２アーム部の他端側において、前記第１アーム部とは反対側に設けられる第３スライダ部、
を更に備え、
前記光源ユニットが、
前記第２アーム部を貫通して配置され、且つ前記第３スライダ部に照射するための第３光束を射出する第３光源を更に含むことを特徴とするアーム機構。
【請求項８】
請求項５から請求項７の何れかに記載のアーム機構であって、
前記光源ユニットが、
各前記光源に対応させて光学レンズ部がそれぞれ一体的に形成されたものであることを特徴とするアーム機構。
【発明の詳細な説明】
【技術分野】
【０００１】
本発明は、情報記録装置、およびそれに用いられるアーム機構に関するものであり、例えば、情報記録に磁界と光とを利用する光アシスト式磁気記録装置、およびそれに用いられるアーム機構に関するものである。
【背景技術】
【０００２】
磁気記録方式において、記録密度が高くなると磁気ビットが外部温度などの影響を顕著に受けるようになる。そのため高い保持力を有する記録媒体が必要になるが、そのような記録媒体を使用すると記録時に必要な磁界も大きくなる。記録ヘッドによって発生する磁界は飽和磁束密度によって上限が決まるが、この値は材料限界に近づいており飛躍的な増大は望めない。そこで、記録時に局所的に加熱して磁気軟化を生じせしめ、保持力が小さくなった状態で記録し、その後に加熱を止めて自然冷却することで記録した磁気ビットの安定性を保証する方式が提案されている。この方式は熱アシスト磁気記録方式と呼ばれている。【０００３】
この熱アシスト磁気記録方式では、記録媒体の加熱を瞬間的に行うことが望ましく、加熱する機構と記録媒体とが接触することは許されない。このため、加熱は光の吸収を利用して行われるのが一般的であり、加熱に光を用いる方式は光アシスト式と呼ばれている。そして、光アシスト式の磁気記録ヘッドとして、集光機能付きプラナー導波路を有する光学ヘッド部分と、その光学ヘッド部分からの射出光で照射された部分に磁気記録を行う磁気ヘッド部分とを備えたものが提案されている（例えば、米国特許第６９４４１１２号明細書など）。【０００４】
また、光アシスト式によって超高密度記録を行うためには、記録媒体に照射する光のスポット径を例えば２０ｎｍ程度の超微小なものにする必要がある。しなしながら、通常の光学系では回折限界の存在により光を超微小なものにまで集光することは難しい。そこで、非伝搬光であるいわゆる近接場光を用いて加熱を行う方式が提案されている（例えば、シャープ技報第９１号２６頁−３０頁など）。なお、近接場光を発生させる光ヘッドおよび記録再生装置については、その他の種々の提案がなされている（例えば、特開２０００−１４９３１７号公報、特開２０００−３５３３３６号公報など）。
【発明の開示】
【０００５】
しかしながら、上記米国特許第６９４４１１２号明細書およびシャープ技報第９１号２６頁−３０頁で提案された技術では、光源の配置およびその光線のヘッドまでの導光方法が明らかでない。また、上記特開２０００−１４９３１７号公報で提案された技術では、光ヘッドに光源が搭載されているため、光源の加熱による光ヘッドの熱膨張に起因して記録精度が低下する虞があるとともに、斜め方向からの光線の導入や複雑な集光用の光学系の配置により光ヘッドの大型化を招いてしまう。
【０００６】
記録装置では、狭い空間に記録ディスクや記録用ヘッドなどを配置する必要があり、記録用ヘッドの大型化は好ましくない。特に、磁気記録方式では、高密度で大量の情報を記録させる場合、狭い空間に複数枚の記録ディスクを微小距離（例えば、１ｍｍ以下）だけ相互に離隔して配置することが要求される。このような場合には、記録用ヘッドの厚みが制限される。なお、上記特開２０００−３５３３３６号公報で提案された技術では、光源から記録用ヘッドまで光線を導くための光学系が複雑であり、狭い空間に記録ディスクと記録用ヘッドを配置することができない。そして、このような問題は、複数の光源と複数の記録用ヘッドとを有する記録再生装置において顕著となる。
【０００７】
本発明は、上記課題に鑑みてなされたものであり、複数の光源と複数の記録用ヘッドとを離隔配置させるとともに、複数の光源を高精度に配置させつつ、複数の光源と複数の記録用ヘッドとを含む機構および記録再生装置の薄型化を図ることができる技術を提供することを目的とする。
【０００８】
上記課題を解決するため、第１の態様に係る情報記録装置は、第１記録媒体と、前記第１記録媒体を挟んで配置される第１および第２アーム部と、前記第１および第２アーム部の一端側において該第１および第２アーム部を連結する回転軸と、記録用ヘッドを含み、前記第１アーム部の他端側において、前記第１記録媒体の一方主面に対向して設けられる第１スライダ部と、記録用ヘッドを含み、前記第２アーム部の他端側において、前記第１記録媒体の他方主面に対向して設けられる第２スライダ部と、前記第１記録媒体と接触しない位置に設けられ、前記第１アーム部と前記第２アーム部との間に、前記第１スライダ部に照射するための第１光束を射出する第１光源と、前記第２スライダ部に照射するための第２光束を射出する第２光源とが一体的に形成されている光源ユニットとを備える。
【０００９】
これにより、複数の光源と複数の記録用ヘッドとを離隔配置させるとともに、複数の光源を高精度に配置させつつ、複数の光源と複数の記録用ヘッドとを含む記録再生装置の薄型化を図ることができる。
【００１０】
また、第２の態様に係る情報記録装置は、第１の態様に係る情報記録装置であって、前記光源ユニットが、前記第１および第２アーム部に対して取り付けられる。
【００１１】
また、第３の態様に係る情報記録装置は、第１または第２の態様に係る情報記録装置であって、前記第２アーム部を挟んで、前記第１記録媒体に対して略平行に配置される第２の記録媒体と、記録用ヘッドを含み、前記第２アーム部の他端側において、前記第２記録媒体の一方主面に対向して設けられる第３スライダ部とを更に備え、前記光源ユニットが、前記第２アーム部を貫通して配置され、且つ前記第３スライダ部に照射するための第３光束を射出する第３光源を更に含む。
【００１２】
これにより、３つ以上の光源を精度良く配置することができる。
【００１３】
また、第４の態様に係る情報記録装置は、第１から第３の何れか１つの態様に係る情報記録装置であって、前記光源ユニットが、各前記光源に対応させて光学レンズ部がそれぞれ一体的に形成されたものである。
【００１４】
これにより、各光源から各スライダ部への光路上において光学系を容易かつ精度良く配置することができる。
【００１５】
また、第５の態様に係るアーム機構は、略平行に配置される第１および第２アーム部と、前記第１および第２アーム部の一端側において該第１および第２アーム部を連結する回転軸と、記録用ヘッドを含み、前記第１アーム部の他端側において、前記第２アーム部に対向して設けられる第１のスライダ部と、記録用ヘッドを含み、前記第２アーム部の他端側において、前記第１アーム部に対向して設けられる第２のスライダ部と、前記第１アーム部と前記第２アーム部との間に、前記第１スライダ部に照射するための第１光束を射出する第１光源と、前記第２スライダ部に照射するための第２光束を射出する第２光源とが一体的に形成されている光源ユニットとを備える。
【００１６】
これにより、複数の光源と複数の記録用ヘッドとを離隔配置させるとともに、複数の光源を高精度に配置させつつ、複数の光源と複数の記録用ヘッドとを含む機構の薄型化を図ることができる。
【００１７】
また、第６の態様に係るアーム機構は、第５の態様に係るアーム機構であって、前記光源ユニットが、前記第１および第２アーム部に対して取り付けられている。
【００１８】
また、第７の態様に係るアーム機構は、第５または第６の態様に係るアーム機構であって、記録用ヘッドを含み、前記第２アーム部の他端側において、前記第１アーム部とは反対側に設けられる第３スライダ部を更に備え、前記光源ユニットが、前記第２アーム部を貫通して配置され、且つ前記第３スライダ部に照射するための第３光束を射出する第３光源を更に含む。
【００１９】
これにより、３つ以上の光源を精度良く配置することができる。
【００２０】
また、第８の態様に係るアーム機構は、第５から第７の何れか１つの態様に係るアーム機構であって、前記光源ユニットが、各前記光源に対応させて光学レンズ部がそれぞれ一体的に形成されたものである。
【００２１】
これにより、各光源から各スライダ部への光路上において光学系を容易かつ精度良く配置することができる。
【図面の簡単な説明】
【００２２】
【図１】図１は、本発明の実施形態に係る情報記録装置の概略構成例を示す図である。
【図２】図２は、本発明の実施形態に係るスライダ部の構成例を示す図である。
【図３】図３は、導波路を有する光アシスト部の構成例を示す図である。
【図４】図４は、本発明の実施形態に係るアーム機構の構成例を示す模式図である。
【図５】図５は、本発明の実施形態に係るアーム機構の構成例を示す断面模式図である。
【図６】図６は、本発明の変形例に係るアーム機構の構成例を示す模式図である。
【図７】図７は、本発明の変形例に係るアーム機構の構成例を示す模式図である。
【発明を実施するための最良の形態】
【００２３】
以下、本発明の実施形態を図面に基づいて説明する。【００２４】
＜情報記録装置の概略構成＞
図１は、本発明の実施形態に係る情報記録装置１００の概略構成例を示す図である。図１および図１以降の図には、方位関係を明確化するためにＸＹＺの直交する３軸が適宜付されている。【００２５】
図１で示すように、情報記録装置１００は、光アシスト式の磁気記録用ヘッドを含む第１〜５スライダ部３１〜３５を搭載した磁気記録装置（光アシスト式磁気記録装置）として構成され、例えば、ハードディスク装置などに適用される。この情報記録装置１００は、略直方体状の筐体１と、該筐体１内に配置された第１〜３記録用ディスク（磁気記録媒体）２ａ，２ｂ，２ｃおよびアーム機構１０とを備えている。【００２６】
第１〜３記録用ディスク２ａ，２ｂ，２ｃは、円盤状の記録媒体であり、相互に所定の微小距離（例えば、１ｍｍ以下）だけ離隔されて盤面が略平行となるように配置される。具体的には、上方から（＋Ｚ方向から−Ｚ方向に沿って）第１記録用ディスク２ａ、第２記録用ディスク２ｂ、および第３記録用ディスク２ｃがこの順番で空間順次に配置されており、筐体１に対して所定の回転軸およびモータによって回転可能に支持されている。【００２７】
アーム機構１０は、第１〜５スライダ部３１〜３５と、第１〜３アーム部４１〜４３と、回転軸５と、光源ユニット部７とを備えている。【００２８】
第１〜３アーム部４１〜４３は、同様な形状を有するとともに、それぞれ薄板状で且つ長細い形状を有し、相互に略平行に配置されている。具体的には、上方から（＋Ｚ方向から−Ｚ方向に沿って）第１アーム部４１、第２アーム部４２、および第３アーム部４３がこの順番で空間順次に配置されている。また、第１〜３アーム部４１〜４３は、一端側（ここでは、−Ｘ方向の端部）において回転軸５によって相互に連結されるとともに、該回転軸５を支点として、矢印ｍＡ方向（トラッキング方向）に筐体１に対して回転可能に支持されている。ここでは、アクチュエータ６による回転軸５の回転により、第１〜３アーム部４１〜４３が、回転軸５を支点として矢印ｍＡ方向に回転する。【００２９】
そして、第１アーム部４１と第２アーム部４２とが、第１記録用ディスク２ａを挟むように配置され、第２アーム部４２と第３アーム部４３とが、第２記録用ディスク２ｂを挟むように配置されている。別の観点から言えば、第２アーム部４２が、第１記録用ディスク２ａと第２記録用ディスク２ｂとによって挟まれるように配置され、第３アーム部４３が、第２記録用ディスク２ｂと第３記録用ディスク２ｃとによって挟まれるように配置されている。【００３０】
第１〜５スライダ部３１〜３５は、同様な構成を有するとともに、光アシスト式の磁気記録ヘッドを有する。そして、第１スライダ部３１が、第１アーム部４１のうちの回転軸５が連結されている一端側とは異なる他端側の下面に対して、第１記録用ディスク２ａの一方主面（ここでは上面）に対向するように設けられ、第２スライダ部３２が、第２アーム部４２のうちの回転軸５が連結されている一端側とは異なる他端側の上面に対して、第１記録用ディスク２ａの他方主面（ここでは下面）に対向するように設けられている。また、第３スライダ部３３が、第２アーム部４２のうちの回転軸５が連結されている一端側とは異なる他端側の下面に対して、第２記録用ディスク２ｂの一方主面（ここでは上面）に対向するように設けられ、第４スライダ部３４が、第３アーム部４３のうちの回転軸５が連結されている一端側とは異なる他端側の上面に対して、第２記録用ディスク２ｂの他方主面（ここでは下面）に対向するように設けられている。更に、第５スライダ部３５が、第３アーム部４３のうちの回転軸５が連結されている一端側とは異なる他端側の下面に対して、第３記録用ディスク２ｃの一方主面（ここでは上面）に対向するように設けられている。【００３１】
なお、ここでは、第１〜３記録用ディスク２ａ〜２ｃを矢印ｍＢ方向に回転させるモータ（不図示）が筐体１内に設けられており、第１〜５スライダ３１〜３５が、第１〜３記録用ディスク２ａ，２ｂ，２ｃ上で浮上しながら相対的に移動し得るように構成されている（図２中の矢印ｍＣ方向）。【００３２】
図２は、第１〜５スライダ部３１〜３５の構成例を示す断面図である。図２で示すように、第１〜５スライダ部３１〜３５は、第１〜３記録用ディスク２ａ〜２ｃに対する情報記録に光を利用する記録用ヘッドを有する。そして、第１〜５スライダ部３１〜３５は、例えば、セラミック製などの基板５０でそれぞれ構成されており、基板５０の内部には、第１〜３記録用ディスク２ａ〜２ｃの被記録部分の流入側から流出側にかけて順に（矢印ｍＣ）、光アシスト部５１、磁気記録部５２、および磁気再生部５３が形成されている。【００３３】
光アシスト部５１は、第１〜３記録用ディスク２ａ〜２ｃの被記録部分を近赤外レーザー光を用いてスポット加熱するための光導波路を有しており、その光導波路の構造は、後述する導波路６０（図３参照）を有している。また、磁気記録部５２は、第１〜３記録用ディスク２ａ〜２ｃの被記録部分に対して磁気情報の書き込みを行う磁気記録素子によって形成されている。更に、磁気再生部５３は、第１〜３記録用ディスク２ａ〜２ｃに記録されている磁気情報の読み取りを行う磁気再生素子によって形成されている。【００３４】
図３は、導波路６０を有する光アシスト部５１の構成例を示す図である。導波路６０としては、例えば、上記特許文献１で提案されたものを適用することができる。この導波路６０は、厚みが薄く、幅が上部から下部に向かって徐々に狭まるような放物線状の内面７０，７２を有する。そして、導波路６０の上部の側面に配設された回折格子部６８（具体的には、太破線部内のレーザー照射領域）にレーザー光が照射されて、導波路６０にレーザー光が導入されると、太矢印６４で示すようにレーザー光が内面７０，７２で反射して、導波路６０の最下部の焦点Ｆにレーザー光が集光し、記録用ディスク２ａ〜２ｃに向けて電磁波が発生して、記録用ディスク２ａ〜２ｃの微小領域が加熱される。なお、図２では、光アシスト部５１に照射されるレーザー光の光路ＰＲの外縁が一点鎖線で例示されている。【００３５】
図１に戻って、説明を続ける。【００３６】
光源ユニット部７は、複数の光源が一体的に構成されたものである。具体的には、光源ユニット部７は、複数の半導体レーザーチップが一体となって構成されたユニット（半導体レーザーユニット）であり、第１〜５スライダ部３１〜３５の各導波路６０に対して照射するための光束を射出する第１〜５光源部Ｐ１〜Ｐ５（図５参照）を有する。この光源ユニット部７は、第２および第３アーム部４２，４３を貫通して配置されている。より詳細には、第１アーム部４１から第２および第３アーム部４２，４３を介して第３アーム部４３の裏面にかけた領域であって、回転軸５の近傍の第１〜５スライダ部３１〜３５側の領域に配置されている。なお、光源ユニット部７は、アーム機構１０が回転軸５を中心にして回転した場合に、第１〜３記録用ディスク２ａ〜２ｃと接触しない位置であれば、回転軸５と第１〜５スライダ部３１〜３５との間の任意の位置に配設されても良い。【００３７】
以下、アーム機構１０について、更に詳述する。【００３８】
＜アーム機構＞
図４および図５は、本発明の実施形態に係るアーム機構１０の構成例を示す模式図である。図４は、アーム機構１０およびその周辺の構成を上方（＋Ｚ方向）から見た模式図であり、図４では、光源ユニット部７、第１〜５光学レンズ部Ｌ１〜Ｌ５、および第１〜５スライダ部３１〜３５の第１アーム部４１に対する配置関係が破線で模式的に示されている。また、図５は、アーム機構１０およびその周辺の構成を側方（＋Ｙ方向）から見た断面模式図である。なお、図４および図５では、レーザー光が通過する光路ＰＲの外縁が一点鎖線で示されている。【００３９】
第１アーム部４１は、アーム本体部４１ａとサスペンション部４１ｂとを備えて構成される。アーム本体部４１ａは、サスペンション部４１ｂと比較して、厚みが厚く且つ剛性が高い素材で構成され、サスペンション部４１ｂは、可撓性を有する材料で構成されており、アーム本体部４１ａとサスペンション部４１ｂの延設方向は略同一である。そして、アーム本体部４１ａの一端（−Ｘ側の端部）が回転軸５に固設され、アーム本体部４１ａの他端（＋Ｘ側の端部）の下面（−Ｚ側の面）にサスペンション部４１ｂの一端の上面（＋Ｚ側の面）が連結されている。また、第１スライダ部３１は、サスペンション部４１ｂのうちのアーム本体部４１ａに対して連結されている一端とは逆の他端近傍の下面に対して所定のバネ部材を介して取り付けられている。【００４０】
また、光源ユニット部７と第１スライダ部３１との間であって、アーム本体部４１ａの裏面（−Ｚ方向の面）に対して、第１光学レンズ部Ｌ１が設けられている。この第１光学レンズ部Ｌ１は、光源ユニット部７の第１光源部Ｐ１から射出されるレーザー光を第１スライダ部３１の回折格子部６８に対して該レーザー光のスポットが形成されるように導くためのレンズ（例えば、コリメータレンズなどの単一のレンズ）として構成されている。【００４１】
この第１光学レンズ部Ｌ１は、図示を省略する保持具でアーム本体部４１ａに対して固設されている。そして、例えば、第１光学レンズ部Ｌ１は、第１光源部Ｐ１における発光点の径が一般的な約１μｍである場合には、回折格子部６８上のレーザー照射領域（図３の破線部内）の径である約５０μｍのレーザー光のスポットが回折格子部６８上に形成されるように設定されている。なお、回折格子部６８上においてレーザー光のスポットが形成される位置の精度を高くすることができるのであれば、第１光学レンズ部Ｌ１の設計を変更して、例えば、１μｍのレーザー光のスポットが回折格子部６８上に形成されるようにしても良い。また、第２〜５光学レンズ部Ｌ２〜Ｌ５は、第１光学レンズ部Ｌ１と同様な構成を有する。【００４２】
なお、このように配置された第１光源部Ｐ１、第１光学レンズ部Ｌ１、および第１スライダ部３１と同様な構成が、他の第２アーム部４２および第３アーム部４３に対しても配置されている。この点に関して以下説明を続ける。【００４３】
第２アーム部４２は、アーム本体部４２ａ、上部サスペンション部４２ｂ、および下部サスペンション部４２ｃを備え、アーム本体部４２ａ、上部サスペンション部４２ｂ、および下部サスペンション部４２ｃの延設方向は略同一である。そして、アーム本体部４２ａの一端（−Ｘ側の端部）が回転軸５に固設され、アーム本体部４２ａの他端（＋Ｘ側の端部）の上面（＋Ｚ側の面）に上部サスペンション部４２ｂの一端の下面（−Ｚ側の面）が連結され、アーム本体部４２ａの他端（＋Ｘ側の端部）の下面（−Ｚ側の面）に下部サスペンション部４２ｃの一端の上面（＋Ｚ側の面）が連結されている。また、第２スライダ部３２は、上部サスペンション部４２ｂのうちのアーム本体部４２ａに対して連結されている一端とは逆の他端近傍の上面に対して所定のバネ部材を介して取り付けられている。更に、第３スライダ部３３は、下部サスペンション部４２ｃのうちのアーム本体部４２ａに対して連結されている一端とは逆の他端近傍の下面に対して所定のバネ部材を介して取り付けられている。【００４４】
第３アーム部４３は、アーム本体部４３ａ、上部サスペンション部４３ｂ、および下部サスペンション部４３ｃを備え、アーム本体部４３ａ、上部サスペンション部４３ｂ、および下部サスペンション部４３ｃの延設方向は略同一である。そして、アーム本体部４３ａの一端（−Ｘ側の端部）が回転軸５に固設され、アーム本体部４３ａの他端（＋Ｘ側の端部）の上面（＋Ｚ側の面）に上部サスペンション部４３ｂの一端の下面（−Ｚ側の面）が連結され、アーム本体部４３ａの他端（＋Ｘ側の端部）の下面（−Ｚ側の面）に下部サスペンション部４３ｃの一端の上面（＋Ｚ側の面）が連結されている。また、第４スライダ部３４は、上部サスペンション部４３ｂのうちのアーム本体部４３ａに対して連結されている一端とは逆の他端近傍の上面に対して所定のバネ部材を介して取り付けられている。更に、第５スライダ部３５は、下部サスペンション部４３ｃのうちのアーム本体部４３ａに対して連結されている一端とは逆の他端近傍の下面に対して所定のバネ部材を介して取り付けられている。【００４５】
光源ユニット部７は、５つの点光源（第１〜５光源部Ｐ１〜Ｐ５）が一体のウエハ上に形成されたものであり、第１〜３アーム部４１〜４３のアーム本体部４１ａ〜４３ａに対してＬ字型の保持部材によって取り付けられて固定されている。具体的には、光源ユニット部７は、第１〜３アーム部４１〜４３の回転軸５近傍であって該回転軸５の他端側（図５では＋Ｘ側）の位置において固設されている。そして、光源ユニット部７は、一端が第１アーム部４１のアーム本体部４１ａの下面に対して当接し、第２アーム部４２のアーム本体部４２ａに設けられた貫通孔Ｃ１および第３アーム部４３のアーム本体部４３ａに設けられた貫通孔Ｃ２を貫通するとともに、他端がアーム本体部４３ａの下方に配置されている。【００４６】
この光源ユニット部７では、第１〜５スライダ部３１〜３５に対向する面に第１〜第５光源部Ｐ１〜Ｐ５が一体的に形成されている。より詳細には、第１スライダ部３１に対向する位置に第１光源部Ｐ１が設けられ、第２スライダ部３２に対向する位置に第２光源部Ｐ２が設けられ、第３スライダ部３３に対向する位置に第３光源部Ｐ３が設けられ、第４スライダ部３４に対向する位置に第４光源部Ｐ４が設けられ、第５スライダ部３５に対向する位置に第５光源部Ｐ５が設けられている。ここでは、第１光源部Ｐ１から第１アーム部４１の延設方向に沿って伸びる直線上に第１スライダ部３１が配置され、第２光源部Ｐ２から第２アーム部４２の延設方向に沿って伸びる直線上に第２スライダ部３２が配置され、第３光源部Ｐ３から第２アーム部４２の延設方向に沿って伸びる直線上に第３スライダ部３２が配置され、第４光源部Ｐ４から第３アーム部４３の延設方向に沿って伸びる直線上に第４スライダ部３４が配置され、第５光源部Ｐ５から第３アーム部４３の延設方向に沿って伸びる直線上に第５スライダ部３５が配置されている。【００４７】
また、光源ユニット部７における第１〜５光源部Ｐ１〜Ｐ５の配置の間隔は、第１〜５スライダ部３１〜３５の配置の間隔に合わせたもの、例えば同様な間隔となるように設定されている。このような第１〜５光源部Ｐ１〜Ｐ５の間隔の精度は、半導体レーザーの製造プロセスで利用される所謂フォトリソグラフィーの位置決め精度に対応する高精度のものとすることが可能である。なお、光源ユニット部７は、例えば、ウエハ上に発光に必要な層を適宜積層させ、所望の位置を切断することで端面から発光するように形成すれば良い。【００４８】
そして、第１光源部Ｐ１から射出されるレーザー光がアーム本体部４１ａの下面に設けられた第１光学レンズ部Ｌ１を介して第１スライダ部３１に集光するように照射され、第２光源部Ｐ２から射出されるレーザー光がアーム本体部４２ａの上面に設けられた第２光学レンズ部Ｌ２を介して第２スライダ部３２に集光するように照射される。また、第３光源部Ｐ３から射出されるレーザー光がアーム本体部４２ａの下面に設けられた第３光学レンズ部Ｌ３を介して第３スライダ部３３に集光するように照射され、第４光源部Ｐ４から射出されるレーザー光がアーム本体部４３ａの上面に設けられた第４光学レンズ部Ｌ４を介して第４スライダ部３４に集光するように照射される。更に、第５光源部Ｐ５から射出されるレーザー光がアーム本体部４３ａの下面に設けられた第５光学レンズ部Ｌ５を介して第５スライダ部３５に集光するように照射される。【００４９】
この光源ユニット部７の構成については、別の観点から言えば、光源ユニット部７は、第１記録用ディスク２ａと接触しない位置において第１および第２アーム部４１，４２に対して固設されている。そして、第１スライダ部３１に対して照射するための光束を射出する第１光源部Ｐ１と、第２スライダ部３２に対して照射するための光束を射出する第２光源部Ｐ２とが、第１および第２アーム部４１，４２の間に配置されている。また、光源ユニット部７は、第２記録用ディスク２ｂと接触しない位置において第２および第３アーム部４２，４３に対して固設されている。そして、第３スライダ部３３に対して照射するための光束を射出する第３光源部Ｐ３と、第４スライダ部３４に対して照射するための光束を射出する第４光源部Ｐ４とが、第２および第３アーム部４２，４３の間に配置されている。更に、光源ユニット部７は、第３アーム部４３を貫通して配置され、第３記録用ディスク２ｃの上方に配置される第５スライダ部３５に対して照射するための光束を射出する第５光源部Ｐ５を有する。【００５０】
以上のように、本発明の実施形態に係る情報記録装置１００では、一体的（ここでは、１つのウエハ上）に複数の光源（ここでは、第１〜５光源部Ｐ１〜Ｐ５）が配置されて形成された光源ユニット部７が用いられ、複数のスライダ部（ここでは、第１〜５スライダ部３１〜３５）を保持する複数のアーム部（ここでは、第１〜３アーム部４１〜４３）に対して、スライダ部が配設された端部側とは逆の端部側において、光源ユニット部７が固設されている。そして、２本のアーム部（例えば、第１および第２アーム部４１，４２）の間に２つの光源部（例えば、第１および第２光源部Ｐ１，Ｐ２）と２つのスライダ部（例えば、第１および第２スライダ部３１，３２）とがそれぞれ対向するように配置されている。このため、複数の光源と複数の記録用ヘッドとを離隔配置させるとともに、複数の光源を高精度に配置させつつ、複数の光源と複数の記録用ヘッドとを含むアーム機構１０および情報記録装置１００の薄型化を図ることができる。【００５１】
また、一体的（ここでは、１つのウエハ上）に複数の光源（ここでは、第１〜５光源部Ｐ１〜Ｐ５）が配置されて形成された光源ユニット部７を採用することで、光源ユニット部７における複数の光源（ここでは、第１〜５光源部Ｐ１〜Ｐ５）の間隔を、複数のスライダ部（ここでは、第１〜５スライダ部３１〜３５）の間隔に合わせた高精度のものとすることが容易に可能である。このため、アーム機構１０および情報記録装置１００における光路の設定を高精度のものとすることができる。【００５２】
また、光源ユニット部７がアーム部（ここでは、第２および第３アーム部４２，４３）を貫通して配置されているため、３つ以上の光源（ここでは、第１〜５光源部Ｐ１〜Ｐ５）を精度良く配置することができる。【００５３】
＜変形例＞
なお、本発明は上述の実施の形態に限定されるものではなく、本発明の要旨を逸脱しない範囲において種々の変更、改良等が可能である。【００５４】
◎例えば、上記実施形態では、光源ユニット部７の第１〜５光源部Ｐ１〜Ｐ５と第１〜５スライダ部３１〜３５とをそれぞれ結ぶ直線上に第１〜５光学レンズ部Ｌ１〜Ｌ５がそれぞれ配置されていたが、これに限られない。例えば、第１〜５光源部Ｐ１〜Ｐ５から射出されるレーザー光を第１〜５スライダ部３１〜３５にそれぞれ集光するように照射する構成であれば、他の種々の態様が採用されても良い。【００５５】
具体的には、図６で示すように、光源ユニット部７Ａの各光源部からそれぞれ射出されるレーザー光が、各反射部Ｍ１〜Ｍ５でそれぞれ反射され、各光学レンズ部Ｌ１〜Ｌ５を介して、各スライダ部３１〜３５に集光するように照射される態様であっても良い。また、図７で示すように、光源ユニット部７Ａの各光源部からそれぞれ射出されるレーザー光が、凹面を有する各反射部（集光ミラー）Ｍ１１〜Ｍ１５でそれぞれ反射されて、各スライダ部３１〜３５に集光するように照射される態様であっても良い。なお、集光ミラーＭ１１〜Ｍ１５を使用する場合には、第１〜５光学レンズ部Ｌ１〜Ｌ５が不要となるため、構成および製造工程の簡略化が図られる。【００５６】
◎また、上記実施形態では、光源ユニット部７の第１〜５光源部Ｐ１〜Ｐ５が点発光を行うものであったが、これに限られない。例えば、第１〜５光源部Ｐ１〜Ｐ５にＶＣＳＥＬなどのいわゆる面発光レーザーを適用しても良い。なお、面発光レーザーを適用する場合には、各光源部Ｐ１〜Ｐ５をそれぞれ覆うマイクロレンズを光源ユニット部７において一体的に組み込むことも可能である。このように、各光源部Ｐ１〜Ｐ５に対して光学レンズ部がそれぞれ一体的に形成された光源ユニット部が採用されると、光学レンズ部を別個に精度良く配設するプロセスが不要となる。したがって、各光源から各スライダ部への光路上において光学系を容易かつ精度良く配置することができ、製造工程の簡略化が図られる。【００５７】
また、第１〜５光源部Ｐ１〜Ｐ５に、いわゆるフォトニック結晶レーザーを適用しても良い。このフォトニック結晶レーザーでは、光束の外縁が略平行な光（光束の断面が略一定の光）が射出される。このため、コリメータレンズや集光ミラーなどといった、第１〜５スライダ部３１〜３５上にレーザー光を集光させるための光学系の部材が不要となり、製造工程の簡略化に資する。【００５８】
◎また、上記実施形態では、情報記録装置１００が、記録媒体に対して光で熱を付与しつつ、磁気で情報を記録および読み出す光アシスト式磁気記録装置として構成されたが、これに限られない。例えば、本発明を、磁気を用いることなく記録媒体に対する光の照射によって情報の記録および読み出しを行う情報記録装置など、光の照射を利用して情報の記録および読み出しを行う情報記録装置一般に適用しても良い。【００５９】
◎また、上記実施形態では、３本のアーム部４１〜４３と５つのスライダ部３１〜３５とを備えたアーム機構１０および情報記録装置１００を挙げて説明したが、アーム部の本数とスライダ部の数はこれに限られない。例えば、記録用ディスクが２枚である場合には、アーム部が３本であり且つスライダ部が４つであるような構成や、アーム部が２本であり且つ該２本のアーム部が２枚の記録用ディスクに挟まれているとともに、スライダ部が２つであるような構成であっても良い。すなわち、２本のアーム部の間に２つの光源部を有する光源ユニット部が記録用ディスクと接触しないように設けられたアーム機構および情報記録装置であれば良い。【００６０】
◎また、上記実施形態では、光源ユニット部７が第１〜３アーム部４１〜４３のアーム本体部４１ａ〜４３ａに対してＬ字型の保持部材によって取り付けられて固定されていたが、これに限られない。例えば、光源ユニット部７が回転軸５に対して固設されても良い。なお、光源ユニット部７が回転軸５に対して固設された場合であっても、回転軸５とアーム部４１〜４３とは連動して回転するため、光源ユニット部７からの光束を第１〜５スライダ部３１〜３５に対して高精度に入射させることが可能である。したがって、光源ユニット部７と第１〜５スライダ部３１〜３５との相対的な位置関係が保持されるように、光源ユニット部７が第１〜３アーム部４１〜４３と連動して移動可能に配設されていれば良い。
【図１】
2009119152.tif 000003
【図２】
2009119152.tif 000004
【図３】
2009119152.tif 000005
【図４】
2009119152.tif 000006
【図５】
2009119152.tif 000007
【図６】
2009119152.tif 000008
【図７】
2009119152.tif 000009
【国際調査報告】
2009119152.tif 000010
2009119152.tif 000011
2009119152.tif 000012
2009119152.tif 000013